(57)【要約】      （修正有）【課題】洗面所、トイレ、浴室に接する部屋等、病院、老人介護施設等常に清潔さが必要な建物、水を使ったり、ペットが糞尿を漏らしたときにもしみ込みにくく掃除しやすく、更に、床面から壁面にたち上がった端目にも埃が積もり難い衛生的な幅木兼用床材を提供する。【解決手段】四方に返しのある嵌合をもち、裏面全面に化粧シートに達しない溝を長さ方向と幅方向に入れた木粉含有熱可塑性樹脂基材層に化粧シートを貼り合わせた床材において、該床材を壁面１０に沿って立ち上げ、更に壁面１０に沿って立ち上げた床材の端面に水平方向から地面方向に傾けた見切縁１１を載せた幅木兼用床材１３である。【選択図】図２
2006009298.tif 000002
【特許請求の範囲】
【請求項１】
四方に返しのある嵌合をもち、裏面全面に化粧シートに達しない溝を長さ方向と幅方向に入れた木粉含有熱可塑性樹脂基材層に化粧シートを貼り合わせた床材において、該床材を壁面に沿って立ち上げた事を特徴とする幅木兼用床材。
【請求項２】
請求項１記載の、壁面に沿って立ち上げた床材の端面に水平方向から地面方向に傾けた見切縁を載せた事を特徴とする幅木兼用床材。
【発明の詳細な説明】
【技術分野】
【０００１】
本発明は、裏面に溝の入った床材から連続に幅木になるため洗面所、トイレ、浴室に接する部屋等、病院、老人介護施設等常に清潔さが必要な建物、水を使ったり、ペットが糞尿を漏らしたときにもしみ込みにくい掃除しやすい幅木兼用床材に関するものである。更に、床から壁にたち上がった端目にも埃が積もり難い衛生的な幅木兼用床材に関するものである。
【背景技術】
【０００２】
従来、床材の基材に切り込みを入れて、不陸、音鳴り対策することは知られていたが壁まで同じ基材が立ち上っていなかった（例えば、特許文献１参照）。
【０００３】
また、床材の裏面に切り込み（溝）を入れて壁に立ち上げて幅木にする方法は知られていたが、床材と幅木の間は、溶着していた（例えば、特許文献２参照）。
【０００４】
また、遮水処理をするため床材を壁に立ち上げる方法も知られていたが床材と壁に立ち上る間を溶着していた（特許文献３）。
【０００５】
また、床材を壁面に立ち上げると材料の上部の切り口が露出され意匠的に問題があり（例えば、特許文献２参照）、埃も積もりやすかった（例えば、特許文献４参照）。
【特許文献１】特許第３３７８２９９号公報（特開平０６−３３６８１５）第２頁
【特許文献２】特開２０００−１３６６２４号公報第２−３頁、第１図、第３図
【特許文献３】実開平０５−２１７７９号公報
【特許文献４】実登第２５９１１０７号公報
【発明の開示】
【発明が解決しようとする課題】
【０００６】
本発明は前記問題点を解決するためになされたものであり、その課題とするところは、洗面所、トイレ、浴室に接する部屋等、病院、老人介護施設等常に清潔さが必要な建物、水を使ったり、ペットが糞尿を漏らしたときにもしみ込みにくい掃除しやすく、更に、床から壁にたち上がった端目にも埃が積もり難い衛生的な幅木兼用床材を提供することを目的とする。
【課題を解決するための手段】
【０００７】
本発明は、上記の課題を解決するために成されたものであり、本発明の請求項１に係る発明は、四方に返しのある嵌合をもち、裏面全面に化粧シート１２に達しない溝８を長さ方向と幅方向に入れた木粉含有熱可塑性樹脂基材層７に化粧シート１２を貼り合わせた床材において、該床材を壁面１０に沿って立ち上げた事を特徴とする幅木兼用床材である。
【０００８】
本発明の請求項２に係る発明は、請求項１記載の、壁面１０に沿って立ち上げた床材の端面に水平方向から地面方向に傾けた見切縁１１を載せた事を特徴とする幅木兼用床材である。
【発明の効果】
【０００９】
請求項１記載の発明は、四方に返しのある嵌合をもち、裏面全面に化粧シートに達しない溝を長さ方向と幅方向に入れた木粉含有熱可塑性樹脂基材に化粧シートを貼り合わせた床材において、該床材を壁面に沿って立ち上げた事により、四方に返しのある嵌合をもつため、水がほとんどしみ込まない。
【００１０】
また、裏面全面に化粧シートに達しない溝を長さ方向と幅方向に入れたので、該床材を壁面に沿って立ち上げる事が出きる。
【００１１】
更に、四方の嵌合部をはめ込んだ後でも該床材を壁面に沿って立ち上げる事が出きる。また、該基材の流れ方向、幅方向に溝が入っているため、壁面に沿って立ち上げた後端部をそろえるとき簡単に切断できて、端部をそろえる事が出きる。
【００１２】
また、請求項２に記載の発明は、壁面に沿って立ち上げた幅木兼用床材の端面に水平方向から地面方向に傾けた見切縁を載せた事により埃が積もらない床材となり衛生的になった。
【発明を実施するための最良の形態】
【００１３】
以下に本発明に係る幅木兼用床材１３を図１〜図４に基づき詳細に説明する。
【００１４】
図１は本発明に係る幅木兼用床材１３の層構成の一実施例を示す側断面図であり、図２は本発明に係る幅木兼用床材１３の壁面１０に沿って立ち上げた一実施例を示す側断面図であり、図３は本発明に係る幅木兼用床材１３の木粉含有熱可塑性樹脂基材７の裏面に溝８を入れた一実施例を示す平面図であり、図４は本発明に係る幅木兼用床材１３の縦方向の溝８で曲げた一実施例を示す斜視図である。
【００１５】
本実施例における幅木兼用床材１３は、図１に示すように、表面保護層１、透明熱可塑性樹脂層２、接着剤層３、絵柄層４、着色熱可塑性樹脂層５を順次積層した化粧シート１２と接着剤層６を介して、木粉含有熱可塑性樹脂基材層７とを貼り合わせ、該木粉含有熱可塑性樹脂基材層７に溝８を設け、更にクッション材層９と粘着して構成されている。
【００１６】
本発明における表面保護層１としては、２液硬化ウレタン樹脂系、２液アクリルウレタン樹脂、電離放射斜線樹脂系等が使用可能であり、特には電離放射斜線樹脂系が好適であり、厚みとしては１μｍ〜１００μｍが耐キャスター性、耐磨耗性、耐キズ付き性の点で好適である。
【００１７】
本発明における透明熱可塑性樹脂層２としては、ポリプロピレン樹脂系、ポリエチレン樹脂系、ポリエステル樹脂系、共重合ポリエステル樹脂系、アクリル樹脂系等が使用可能であり、特にはポリオレフィン樹脂系が透明性等から好適であり、厚みとしては５０μｍ〜１５０μｍが耐キャスター性、耐磨耗性、耐キズ付き性の点で好適である。
【００１８】
本発明における接着剤層３としては、ポリエステル系、ポリエーテル系、酢酸ビニル系、エチレン−酢酸ビニル系、２液硬化型ポリウレタン系、２液硬化型エポキシ系などの接着剤を使用することが出来る。
【００１９】
厚みとしては、２μｍ〜１００μｍ程度が好適であり、２μｍより薄くなると後述の研摩模様の凹凸を十分に覆うことが出来ず、所謂エア噛みなどの意匠上、物性上の欠点を引き起こす場合がある。
【００２０】
本発明における着色熱可塑性樹脂層５としては、有機無機系顔料やヒンダードアミン系光安定剤、紫外線吸収剤、酸化防止剤等を添加したポリプロピレン樹脂系、ポリエチレン
樹脂系、ポリエステル樹脂系、共重合ポリエステル樹脂系、アクリル樹脂系等が使用可能であり、厚みとしては５０μｍ〜１５０μｍが好適である。
【００２１】
本発明における接着剤層６としては、一液湿気硬化型ウレタン樹脂系ホットメルト接着剤（通称ＰＵＲ）、水性２液型ウレタンエマルジョン系接着剤等が使用可能であり、特には一液湿気硬化型ウレタン樹脂系ホットメルト接着剤が耐熱性、耐久性、耐溶剤性等から好適であり、厚みとしては５μｍ〜３０μｍが接着性の点で好適である。
【００２２】
本発明における木粉含有熱可塑性樹脂基材層７としては、木粉とポリプロピレン樹脂の異型成形発泡体等が使用可能であり、厚みとしては１．５ｍｍ〜１０ｍｍが施工性等の点で好適である。
【００２３】
本発明における木粉含有熱可塑性樹脂基材層７への溝８としては、該基材層７の厚み以下で、該基材層７の厚みが５ｍｍの場合は、２ｍｍから４．５ｍｍ程度が望ましい。幅は０．５ｍｍから２ｍｍ程度が望ましい。間隔は５ｍｍから２０ｍｍ程度が望ましい。
【００２４】
本発明におけるクッション材層９としては、２から１０倍発泡のウレタン樹脂製等が使える。市販の両面テープで木粉含有熱可塑性樹脂基材層７と粘着すれば良い。
【００２５】
本発明における端部上の見切縁１１としては、熱可塑性樹脂製、アルミ製、木製等の見切縁１１が使える。色を幅木兼用床材１３に合せておくと違和感が無くなる。
【実施例】
【００２６】
以下に、本考案の具体的な実施例について説明する。
【００２７】
＜実施例１＞
厚み０．０７０ｍｍのポリプロピレン樹脂製着色熱可塑性樹脂層５（ＲＩＶＥＳＴ  ＴＰＯ  リケンテクノス社製）に絵柄層４として２液ウレタン樹脂系バインダーのグラビアインキにて木目柄を印刷し、その上に透明熱可塑性樹脂層３として透明ポリプロピレン樹脂を押出しラミネートし、更に、表面に表面保護層２として２液ウレタン樹脂の中に熱可塑性樹脂ビーズａとしてガラス転移点が２３℃と−２℃の熱可塑性樹脂ビーズａを各々３重量部添加し塗布した後、乾燥させて厚み０．２５ｍｍのオレフィン系化粧シート１２を作製した。
【００２８】
次に、ホモポリプロピレン樹脂９０重量部、マレイン酸変性ポリプロピレン樹脂１０重量部に木質系添加剤４０重量部を２軸押し出し混錬機によって混合、ペレット化して木粉混合樹脂ペレットを作製した。
【００２９】
この木粉混合樹脂ペレットを異形押し出し成形法にて断面が５ｍｍ×１５７ｍｍサイズで相欠き嵌合部分をもつ床状形状に押し出した。
【００３０】
次に、この木粉含有熱可塑性樹脂基材層７に、厚み０．２５ｍｍのオレフィン系化粧シート１２を一液湿気硬化型ウレタン樹脂系ホットメルト接着剤６にてラッピング法により積層した。
【００３１】
次に、木粉含有熱可塑性樹脂基材層７裏面に、深さ４ｍｍ、1ｍｍ、間隔５ｍｍの切れ目を丸の子又はレーザー光線を木粉含有熱可塑性樹脂基材層７の横から当てて切れ目を入れた。
【００３２】
次に両面テープにて１ｍｍの発泡ウレタンからなるクッション材層９を貼りつけ幅木兼
用床材１３を作製した。
【００３３】
次に、四方の返しの有る嵌合をスナップフィットしながら施工して、壁面１０に沿って５０ｍｍ立上げて端部をカットしてそろえた。
【００３４】
次に、前記端部の上に図２に示すように、見切縁１１を両面テープにて貼りつけた。
【００３５】
本発明は、床材から連続に幅木になるため洗面所、トイレ、浴室に接する部屋等、水を使ったり、ペットが糞尿を漏らしたときにもしみ込みにくい掃除しやすい幅木兼用床材１３であり、更に、床面１４から壁面１０にたち上がった端目にも傾斜のついた見切縁１１を載せるため埃が積もり難い衛生的な幅木兼用床材１３を提供することができるものである。
【図面の簡単な説明】
【００３６】
【図１】本発明に係る幅木兼用床材の層構成の一実施例を示す側断面図である。
【図２】本発明に係る幅木兼用床材の壁に沿って立ち上げた一実施例を示す側断面図である。
【図３】本発明に係る幅木兼用床材の木粉含有熱可塑性樹脂基材の裏面に溝を入れた一実施例を示す平面図である。
【図４】本発明に係る幅木兼用床材の縦方向の溝で曲げた一実施例を示す斜視図である。
【符号の説明】
【００３７】
１・・・表面保護層
２・・・透明熱可塑性樹脂層
３・・・接着剤層
４・・・絵柄層
５・・・着色熱可塑性樹脂層
６・・・接着剤層
７・・・木粉含有熱可塑性樹脂基材層
８・・・溝
９・・・クッション材層
１０・・・壁面
１１・・・見切縁
１２・・・化粧シート
１３・・・幅木兼用床材
１４・・・床面
【図１】
2006009298.tif 000003
【図２】
2006009298.tif 000004
【図３】
2006009298.tif 000005
【図４】
2006009298.tif 000006